(57)【要約】      （修正有）【課題】プールのコース内の床面に確実に密着させることができ、しかも着脱が容易であると共に、反射面の反りを防止してスイマーの泳姿を正確に自身で確認できるようにしたスイミング用ミラーを提供する。【解決手段】スイミングプールの床面に付設してスイマー自身が自己の泳姿を確認できるようになしたスイミング用のミラーであって、ミラー本体１は矩形状をなし、当該矩形状のミラー本体１の少なくとも各コーナー部付近を吸盤の吸着力を利用してスイミングプールの床面３に取り付けるようにした。吸盤はその上面中央部に雄螺子部を形成した螺子棒８を突設してあり、ミラー本体１に形成した通孔９を貫通した吸盤の螺子棒８に、雌螺子部を具備したソケット螺子１１をきつくねじ込むようにした。【選択図】図４
0003191688.tif 000002
【実用新案登録請求の範囲】
【請求項１】
スイミングプールの床面に付設してスイマー自身が自己の泳姿を確認できるようになしたスイミング用のミラーであって、ミラー本体は矩形状をなし、当該矩形状のミラー本体の少なくとも各コーナー部付近を吸盤の吸着力を利用してスイミングプールの床面に取り付けるようにしたことを特徴とするスイミング用ミラー。
【請求項２】
スイミングプールの床面に吸着させる吸盤は、その上面中央部に雄螺子部を形成した螺子棒を突設してあると共に、前記矩形状のミラー本体の少なくとも各コーナー部付近には前記吸盤の前記螺子棒を貫通させるための通孔を形成してあり、当該通孔を貫通した吸盤の螺子棒に、雌螺子部を具備したソケット螺子をきつくねじ込んでミラー本体をスイミングプールの床面に取り付けるようにしたことを特徴とする請求項１に記載のスイミング用ミラー。
【請求項３】
前記ミラー本体の長手方向両側中央部付近にも前記吸盤の前記螺子棒を貫通させるための通孔を形成してあり、ミラー本体の各コーナー部付近と併せてミラー本体の長手方向両側中央部付近においても吸盤によってスイミングプールの床面に取り付けるようにしたことを特徴とする請求項２に記載のスイミング用ミラー。
【請求項４】
前記通孔は長穴状となっていて取付位置の調整が可能となっていることを特徴とする請求項２または請求項３に記載のスイミング用ミラー。
【請求項５】
スイミングプールの床面に付設してスイマー自身が自己の泳姿を確認できるようになしたスイミング用ミラーであって、ミラー本体は水中において反りが生ずるのを防ぐため、アルミ樹脂複合板を芯材に使用すると共に、当該芯材の上下両面に耐衝撃性に優れた特性を示現する合成樹脂製の補強層を形成し、ミラーフィルムが前記上側の補強層の表面に貼付してあること特徴とするスイミング用ミラー。
【考案の詳細な説明】
【技術分野】
【０００１】
本考案は、スイミングプールの床面に付設してスイマーが自身の泳姿を目視で確認できるようになしたスイミング用ミラーに関する。
【背景技術】
【０００２】
水泳の上達には練習が不可欠であるが、誤ったストロークやキックを続けていた場合は中々上達することができない。すなわち、ストロークの場合は、先ず腕を水中に入れて水を掴み（キャッチ）、次いで掴んだ水を引き寄せ（スカリング・プル）、最後に水を押し出し（プッシュ・オフ）、再び腕を水中に入れる（リカバリー）一連の動作を繰り返し行うわけであるが、キャッチが不完全であると、スカリング・プルおよびプッシュ・オフに悪影響を与え記録が伸びないのが常である。
【０００３】
そのため、下記の特許文献に示されているように、スイミングプールのコース内にミラーを配置して、自身の泳姿を写し出し、ストロークやキックの状態を確認できるようにする試みがなされている。
【先行技術文献】
【特許文献】
【０００４】
【特許文献１】特開２００３−２７５３６０公報
【考案の概要】
【考案が解決しようとする課題】
【０００５】
上記した特許文献には、プールの長手方向長さにほぼ近い長手方向寸法をもった鏡面体の例と、プールの長手方向長さに見合う幾つかに分離された鏡面体の例が示され、いずれの場合も、鏡面体の端部に取り付けた複数個のフックを、スイミングプールの側壁に設けた複数個のフックに紐などを用いて留め付けるようにしている。また、幾つかに分離された鏡面体どうしは紐状連結具を用いて着脱自在に連結することが示されている。
【０００６】
しかしながら、この特許文献に開示されたスイミング用ミラーの場合は、プールの底面に密着させるものではないため、スイマーの動きによる水流の変化によって鏡面体の角度がずれたり、撓むことによってスイマーの泳姿を正確に写し出すことができないという問題点がある。また、スイミングプールの側壁に鏡面体取付用のフックを複数個取り付けなければならず、費用が嵩むと共に、鏡面体の取り付け作業に多くの手間を要するという問題点もある。
【０００７】
本考案は前記した従来のスイミング用ミラーの問題点を解消し、プールのコース内の底面に確実に密着させ、しかも着脱が容易であると共に、反射面の反りを防止してスイマーの泳姿を正確に自身で確認できるようにしたスイミング用ミラーを提供することを目的とするものである。
【課題を解決するための手段】
【０００８】
上記課題を解決するための本考案の構成を詳述すれば、請求項１に係る考案は、スイミングプールの床面に付設してスイマー自身が自己の泳姿を確認できるようになしたスイミング用のミラーであって、ミラー本体は矩形状をなし、当該矩形状のミラー本体の少なくとも各コーナー部付近を吸盤の吸着力を利用してスイミングプールの床面に取り付けるようにしたことを特徴とするスイミング用ミラーである。
【０００９】
請求項２に係る考案は、スイミングプールの床面に吸着させる吸盤は、その上面中央部に雄螺子部を形成した螺子棒を突設してあると共に、前記矩形状のミラー本体の少なくとも各コーナー部付近には前記吸盤の前記螺子棒を貫通させるための通孔を形成してあり、当該通孔を貫通した吸盤の螺子棒に、雌螺子部を具備したソケット螺子をきつくねじ込んでミラー本体をスイミングプールの床面に取り付けるようにしたことを特徴とする請求項１に記載のスイミング用ミラーである。
【００１０】
また、請求項３に係る考案は、前記ミラー本体の長手方向両側中央部付近にも前記吸盤の前記螺子棒を貫通させるための通孔を形成してあり、ミラー本体の各コーナー部付近と併せてミラー本体の長手方向両側中央部付近においても吸盤によってスイミングプールの床面に取り付けるようにしたことを特徴とする請求項２に記載のスイミング用ミラーである。
【００１１】
請求項４に係る考案は、前記通孔は長穴状となっていて取付位置の調整が可能となっていることを特徴とする請求項２または請求項３に記載のスイミング用ミラーである。
【００１２】
さらに、請求項５に係る考案は、スイミングプールの床面に付設してスイマー自身が自己の泳姿を確認できるようになしたスイミング用ミラーであって、ミラー本体は水中において反りが生ずるのを防ぐため、アルミ樹脂複合板を芯材に使用すると共に、当該芯材の上下両面に耐衝撃性に優れた特性を示現する合成樹脂製の補強層を形成し、ミラーフィルムが前記上側の補強層の表面に貼付してあること特徴とするスイミング用ミラーである。
【考案の効果】
【００１３】
本考案に係るスイミング用ミラーよれば、ミラー本体の少なくとも各コーナー部付近を吸盤の吸着力を利用してスイミングプールの床面に取り付けるようにしたものであるから着脱が容易であり、取扱性に優れたプール用ミラーを提供することができる。
【００１４】
また、プールの床面に吸着させる吸盤は、その上面中央部に雄螺子部を形成した螺子棒を突設し、ミラー本体の少なくとも各コーナー部付近に吸盤の前記螺子棒を貫通させるための通孔を形成して、当該通孔を貫通した吸盤の螺子棒に、雌螺子部を具備したソケット螺子をきつくねじ込んでミラー本体をスイミングプールの床面に取り付けるようにした場合は吸盤内の脱気がより完全となり、強固にプール底面に吸着させることができる。
【００１５】
さらに、請求項３のように、ミラー本体の長手方向両側中央部付近にも前記吸盤の前記螺子棒を貫通させるための通孔を形成して、ミラー本体の各コーナー部付近と併せてミラー本体の長手方向両側中央部付近においても吸盤によってスイミングプールの床面に取り付けるようにした場合は、ミラー本体を安定した状態でプールの床面に固定することができる。なお、請求項４のように、螺子棒を貫通させるための通孔を長穴状とした場合は、プール床面のタイル目地部を外すように吸盤の取付位置を変えることが可能となる。
【００１６】
また、請求項５のように、ミラー本体の構成について、アルミ樹脂複合板を芯材に使用すると共に、当該芯材の上下両面に耐衝撃性に優れた特性を示現する合成樹脂製の補強層を形成し、ミラーフィルムを当該上側の補強層の表面に貼付するようにした場合は、充分な剛性を保持させることができると共に、ミラー本体の反りの発生を有効に防ぐことができ、スイマーのスイミング動作を正確に写し出すことができるものである。
【図面の簡単な説明】
【００１７】
【図１】本考案に係るスイミング用ミラーの一実施例を示す平面図である。
【図２】図１に示すスイミング用ミラーの一実施例を示す正面図である。
【図３】雄螺子部を具備した吸盤とソケット螺子を用いてミラー本体を固定するときの説明図である。
【図４】雄螺子部を具備した吸盤とソケット螺子を用いてミラー本体をプールの床面に固定したときの断面図である。
【図５】ミラー本体のコーナー部における拡大平面図である。
【図６】吸盤の他の実施例を示す説明図である。
【図７】ミラー本体の積層構造を示す説明図である。
【考案を実施するための形態】
【００１８】
以下、本考案に係るスイミング用ミラーの具体的構成を図示の実施例に基づき詳細に説明する。
図中１はスイミングプールのコース内床面に付設する矩形状のミラー本体、２は当該ミラー本体１をスイミングプールの床面３に固定させるときに用いる吸盤を示す。
【００１９】
本考案はスイミングプールの床面２に付設してスイマー自身が自己の泳姿を確認できるようになしたスイミング用のミラーに関するものであり、矩形状をなすミラー本体１の少なくとも各コーナー部付近４を吸盤２の吸着力を利用してスイミングプールの床面３に取り付けるようにしたものである。
【００２０】
なお、ミラー本体１の長手方向長さおよび幅方向長さは、対象とするスイミングプールの大きさに対応して自在に変更することができるものであるが、長手方向長さは作業性等を考慮して１６００ｍｍ〜１９００ｍｍの範囲内とするのが適当であり、幅方向長さは好ましくはスイミングコース内の幅方向寸法内に収まる程度の幅方向長さ（６５０ｍｍ〜９５０ｍｍ）とするのが適当である。
【００２１】
スイミングプールの床面３に吸着させる吸盤２は、図６に示すように、ミラー本体１のコーナー部付近４に形成した通孔内を貫通させる中央ボス部５を有し、当該中央ボス部５に形成した横穴６内にリング７を取り付けたものとし、当該リング７を掴んで、プールの床面３からミラー本体１を取り出すようにすることができる。
【００２２】
吸盤２については、前記した引き出し用のリング７を設けたものの他に、図３および図４に示すように、その上面中央部にインサート成形などにより雄螺子部を具備した螺子棒８を突設したものとして、当該螺子棒８をミラー本体１の各コーナー部付近４に形成した通孔９内を貫通させ、当該通孔９を貫通した吸盤２の螺子棒８に、雌螺子部１０を具備したソケット螺子１１をきつくねじ込んでミラー本体１をスイミングプールの床面３に取り付けるようにすることができる。
【００２３】
前記したように、吸盤２の螺子棒８に、雌螺子部１０を具備したソケット螺子１１をきつくねじ込んでミラー本体１を床面３に取り付けるようにした場合は、吸盤２内の脱気を完全に行うことができ、より強固にミラー本体１をスイミングプールの床面３に固定することができる。
なお、図５に示す実施例では、ソケット螺子１１の外周部形状は手指で回転操作し易いようにやや角張った八角形となっているが、安全に配慮してこれをローレット付きの円形状または楕円形状となすこともできる。
【００２４】
吸盤２によるミラー本体１の取り付けは、ミラー本体１の４つのコーナー部付近４で行なえば充分な定着強度が得られるが、場合によってはミラー本体１の長手方向両側中央部付近にも前記吸盤２の前記螺子棒８を貫通させるための通孔を形成し、ミラー本体１の各コーナー部付近４と併せてミラー本体１の長手方向両側中央部付近においても吸盤２によってスイミングプールの床面３に取り付けるようにすることもできる。このようにした場合は、ミラー本体１をさらに安定した状態でプールの床面３に取り付けることができる。なお、ミラー本体１の長手方向両側中央部付近に穿設する通孔の位置は左右揃える必要はなく、図１に示すようにずらした状態で形成してもよいのは勿論である。
【００２５】
ミラー本体１の各コーナー部付近４および長手方向両側中央部付近に形成する通孔９は真円状としても特に問題はないが、場合によって床面タイルの目地部付近に吸盤２が位置することとなるのを防ぐため、通孔９の形状を図５に示すように長穴状となして、吸盤２の取付位置を調整することができるようにすることもできる。すなわち、この場合、長穴状の通孔９の範囲内で吸盤２の位置をずらして目地部を避けることが可能となるものである。
【００２６】
ミラー本体１は、通常の場合、温水中において使用されるものであるため、経時的に反りを生じてスイマーの泳姿を正確に写し出さなくなるおそれがある。
そのため、本考案においては、アルミ樹脂複合板を芯材１２に使用すると共に、当該芯材１２の上下両面に耐衝撃性に優れた特性を示現する合成樹脂製の補強層１３ａ，１３ｂを形成し、ミラーフィルム１４を前記上側の補強層１３ａの表面に貼付するようしたものである。
【００２７】
芯材１２をなすアルミ樹脂複合板は、ポリエチレン樹脂製の厚さ１．７ｍｍ程度の無発泡合成樹脂板の上下両面に厚さ０．１５ｍｍ程度のアルミ板を積層して構成したものである。芯材１２の上下両面に積層する合成樹脂製の補強層１３ａ，１３ｂは、それぞれ厚さ１．５ｍｍ程度の耐衝撃性スチロール樹脂からなり、芯材１２と相俟ってミラー本体１の水中での反りを有効に防止することができる。
【００２８】
上側の補強層１３ａの表面に貼付されるミラーフィルム１４は厚さ５０μ程度の透明なポリエチレンテレフタレート樹脂製のフィルムの下側に真空蒸着によってアルミ膜を形成したものである。
なお、芯材１２と補強層１３ａ，１３ｂおよび補強層１３ａとミラーフィルム１４はアクリル系バインダーによって積層化される。
【００２９】
本考案に係るスイミング用ミラーをプールの床面３に取り付けるにあたっては、床面の目地部を外して吸盤２を床面に吸着させ、ミラー本体１のコーナー部付近４などに設けてある通孔９内に吸盤２の上面中央部に突設してある螺子棒８を通す。次いで、通孔９を貫通した吸盤２の螺子棒８に、雌螺子部１０を具備したソケット螺子１１をきつくねじ込んで吸盤２内を脱気することにより、確実にプール底面に定着させることができる。
【００３０】
一方、前記とは逆方向にソケット螺子１１を回して吸盤２の螺子棒８からソケット螺子１１を外すだけの簡単な操作で床面３からミラー本体１を外すことができる。
なお、ミラー本体１を外した後の吸盤２は取り外さずに、そのまま床面３に吸着させた状態としておいてもよいのは勿論であり、吸着させたままにしておいた場合は、同一位置に再度ミラー本体１をセットする際に吸盤２の取付工程を省略することができるので非常に便利である。
【００３１】
前記したように、本考案に係るスイミング用ミラーによれば、プールのコース内の床面に確実に密着させることができ、しかも脱着が容易であると共に、充分な剛性を有し、且つ反射面の反りを防止して泳姿を正確に自身で確認することができ、水泳の上達に役立つものである。
【符号の説明】
【００３２】
１：ミラー本体
２：吸盤
３：床面
４：コーナー部付近
５：中央ボス部
６：横穴
７：リング
８：螺子棒
９：通孔
１０：雌螺子部
１１：ソケット螺子
１２：芯材
１３ａ：補強層
１３ｂ：補強層
１４：ミラーフィルム
【図１】
0003191688.tif 000003
【図２】
0003191688.tif 000004
【図３】
0003191688.tif 000005
【図４】
0003191688.tif 000006
【図５】
0003191688.tif 000007
【図６】
0003191688.tif 000008
【図７】
0003191688.tif 000009